(57)【要約】本発明は、器具（１８）と使用者との間で作用するチェック装置（２０）によって、器具（１８）による正しい運動シーケンスの実行のチェックを可能にする、ボール打撃器具、特にゴルフクラブまたは野球バットのための、運動シーケンスを訓練する装置（１０）に関する。それによってそれぞれの使用者は、運動シーケンスの実施の間にすでに、それが正しく実施されているかを検査して、必要な場合にはそれを補正することができる。【選択図】図２
2004501691.tif 000002
【特許請求の範囲】
【請求項１】
ボール打撃器具（１８）、特にゴルフクラブまたは野球バットのための、運動シーケンスを訓練する装置（１０）であって、
器具（１８）と使用者との間で作用するチェック装置（２０）により、器具（１８）による正しい運動シーケンスの実行のチェック、が可能であることを特徴とする装置。
【請求項２】
チェック装置（２０）は、ボール打撃器具（１８）による運動シーケンスをチェックする場合に、使用者に少なくとも１つの音響的および／または視覚的な信号を伝達し、運動シーケンスは少なくとも開始相、振出し相および終端相に分割可能であることを特徴とする請求項１に記載の装置（１０）。
【請求項３】
チェック装置（２０）は、運動シーケンスの振出し相の開始と終了を音響信号によって表示し、かつ運動シーケンスの間、視覚的な信号によるチェックを可能にする、ことを特徴とする請求項１または２に記載の装置（１０）。
【請求項４】
器具（１８）と使用者の身体部分、特に打撃をガイドする腕（１６）の一部、に固定可能であることを特徴とする請求項１から３のいずれか１項に記載の装置（１０）。
【請求項５】
チェック装置（２０）は、少なくとも２つの互いに分離可能な部分片（２２、２４）を有しており、前記部分片は発動手段（７３）によって、運動シーケンスの少なくとも最初と最後に分離が阻止され、あるいは、それらの結合が促進されるように、互いに相互作用することを特徴とする請求項１から４のいずれか１項に記載の装置（１０）。
【請求項６】
発動手段（７３）によってもたらされる力が、部分片（２２、２４）を永久的に互いに接するように保持しようとし、かつ
力の大きさは調節装置（１２０）を介して予め定めることができることを特徴とする請求項５に記載の装置（１０）。
【請求項７】
発動手段（７３）は、各部分片（２２、２４）に対応づけられて、少なくとも１つの部分片（２４）内で磁石（１０６）を使用することを特徴とする請求項５または６に記載の装置（１０）。
【請求項８】
磁力を調節するために、調節装置（１２０）を介して部分片（２２、２４）間の距離が可変であることを特徴とする請求項７に記載の装置（１０）。
【請求項９】
部分片（２２、２４）は、互いに対する各位置において結合装置（２６）を介して互いに結合されており、前記結合装置は発動手段（７３）の一部として部分片（２２、２４）に復元力をもたらすことを特徴とする請求項５から８のいずれか１項に記載の装置（１０）。
【請求項１０】
ガイド装置（１１３）によって、部分片（２２、２４）は、占めることのできる相対位置の少なくとも一部において、互いに対して定められて案内されていることを特徴とする請求項９に記載の装置（１０）。
【発明の詳細な説明】
【０００１】
本発明は、ボール打撃器具、特にゴルフクラブまたは野球バットのための運動シーケンスを訓練する装置に関する。
【０００２】
たとえばゴルフのような、ボール打撃器具が使用される種類のスポーツにおいては、いつも、これらの器具を利用する場合に複雑な運動シーケンスに出合う。この運動シーケンスの学習、練習およびコントロールは、特にこれらの種類のスポーツにおける初心者に問題をもたらし、それら初心者にとっては該当する運動を誤って実施しかつこの誤りを不十分にしか補正しないことによって、迅速な進歩とそれに結びついた成果は拒まれたままとなる。この種のスポーツ種類を職業として行うプレーヤーにおいても、運動シーケンスを努力してコントロールすることが、良いプレーのための避けることのできない前提である。
【０００３】
従って従来は、プレーヤーにとってはその運動シーケンスを点検するためには、プレーヤーを観察して修正する他の人物の意見を求めること、あるいは面倒なビデオ技術を操作して、プレーヤーにその運動の実施を後から観察することができるようにすることが必要であった。この種の手段は、それがトレーナーレッスンであろうと、ビデオカメラの使用であろうと、プレーヤーにとっては、そもそもそれぞれ所望の時点で提供される場合でも、コストがかかりすぎ、必ずしも提供されるものでもない。さらに、それぞれのプレーヤーは記録された画像材料を後から考察した場合に、その運動シーケンスにおけるエラーを直接補正する機会を持たず、まず自分のエラーに関するフィードバック（バイオフィードバック）が得られない、という欠点がある。
【０００４】
この従来技術に基づいて、本発明の課題は、プレーヤーに、ボール打撃の際の自分の運動シーケンスにおけるエラーを直接認識して補正することができるようにし、第三者または面倒なビデオ記録技術の助けを当てにしなくてもよいような、簡単かつ安価な補助手段を提供することである。請求項１の特徴を有する装置が全体として、この課題を解決する。
【０００５】
請求項１の特徴によれば器具と使用者との間でチェック装置が作用することによって、使用者は、運動シーケンスの実施の間にすでに、それが正しく実施されているかをチェックして、必要な場合にはそれを補正することができる。器具の使用者はチェック装置によって、所望の正しい運動シーケンスの実行に関して、一種のバイオフィードバックを得る。
【０００６】
本発明に基づく装置は、一方は打撃装置の、好ましくはグリップ部からその他の打撃部分への移行領域に、そして他方は使用者の上腕の、好ましくは肘関節の上方の領域に固定され、その場合、右利きのためには左の上腕、そして左利きのためには右の上腕が使用される。ボールを打ち出す力を発生させるための本来のスィング運動の実施の間、器具、使用者および装置の系内で発生する遠心力は、チェック装置を駆動するために使用され、その後そのチェック装置はまた、そのそれぞの系の状態に従って使用者にフィードバックを与え、使用者はそのフィードバックを使用して、ボール打撃器具による正しい運動シーケンスに関する認識を得る。
【０００７】
本発明に基づく装置の好ましい実施形態においては、チェック装置は少なくとも２つの互いに分離可能な部分片を有しており、それら部分片は発動手段によって、少なくとも運動シーケンスの最初と最後に部分片の分離が阻止され、あるいは、それらの結合が促進されて行われるように、互いに相互作用する。
この点において発動手段は、遠心力に対抗して作用し、部分片の分離と、その後の結合が使用者へ音響信号によって出力され、使用者に少なくとも運動シーケンスの最初と最後を確実に示される。
少なくとも、ボール打撃器具がボールを打つ、振出し相を備えている場合には、運動シーケンスが正しく実行されていれば、遠心力は、部分片の分離の阻止を経過した後の部分片の、可視、かつ、可聴な分離が行われるような大きさであって、それによって使用者にバイオフィードバックにおいて所望の運動を正しく実行するためのチェックの可能性が与えられる。
特に、実際の打撃開始相とその後の打撃相との間のクリティカルな移行領域において、チェック装置が有効であって、所望の正しい運動シーケンスのために必要なフィードバックを与える。
【０００８】
本発明の特に好ましい実施形態においては、発動手段によってもたらされる力は、部分片を永久的に互いに接するように保持しようとし、かつ、その力の大きさは、調節装置を介して予め定めることができる。調節装置によって、予め設定可能な限界内で装置をそれぞれの使用者の生物物理学的な条件に適合させることが可能であるので、装置は、たとえば子供、青年にも大人にも、構造的な種類の大きな変更なしで使用することができる。
【０００９】
本発明に基づく装置の他の特に好ましい実施形態においては、部分片は互いに対する相対位置において、結合装置を介して互いに結合されており、その結合装置は発動手段の一部として部分片に復元力を及ぼす。このようにして、ボールの打撃後に打撃相が終了する、終端相またはいわゆるフィニッシュの領域において、チェック装置は再び元の系状態になり、その系状態において部分片は次の運動シーケンスを新たに実施するために、分離を阻止するように互いに添接するようにされている。いわゆるフィニッシュ相における上述した復元力は、チェック装置の２つの部分片が可聴的に合体されることを誘起し、それによって使用者にスィング動作の終了について音響的に認識せしめることができる。その後、装置は、使用者が再び使用できるように使用者に提供される。
【００１０】
他の好ましい実施形態は、従属請求項の対象である。
【００１１】
以下、本発明に基づく装置を図面を用いて詳細に説明する。図は原理的かつ寸法を無視して示されている。
【００１２】
図に示す装置は、特にゴルフクラブのために使用されるものである。しかしまた、この種の装置を他の種類のため、たとえば野球バットおよびテニスラケットのために使用することも、まったく可能である。
【００１３】
図１ａ〜１ｄは、ボール打撃運動を実施する場合の多数の瞬間記録を示しており、装置１０の両端部１２、１４は使用者の上腕１６の形態の身体部分とクラブ１８に固定されている。図１ａ〜１ｄにおいて右利きについて示唆されている運動シーケンスは、それなりの必要な変更によって左利きにとっても実施できることは、もちろんである。
【００１４】
図１ａは、バックスウィングにより腕を引いて構える相を実施した後の、いわゆるダウンスウィングを開始する際のクラブ１８を持った使用者を示しており、ここではクラブの運動の中心は、使用者の肩の部分内にある。フォロースロー中に、運動シーケンスが正しい場合には左腕が伸びる。まさにこの運動の開始が、２つの部分片２２、２４間に作用する磁力を克服してその両部分片が金属的な互いに離れる音により、使用者に信号で知らされる。
【００１５】
図１ｂは、振出し運動の中で使用者の腕がほぼ半分の高さにある場合に、第２の回転運動の重畳が開始された時の、クラブ１８を持っている使用者を示している。この回転運動において、クラブ１８は使用者の手の関節内の回動点を中心に移動される。それに向けられた運動シーケンスが、図１ｃに相当する。
【００１６】
部分片２２、２４へ復元力を作用させる結合装置２６を介して、それら部分片を結合することによって、図１ｄに示すように結合片は、使用者がクラブをボールに命中させて、その結果身体の前を通過させた後に、いわゆるフィニッシュ（終端相）において再び合体するように案内される。２つの部分片２２、２４の合体で、両部分片が互いに当接すると、すぐに新たに音響信号として知覚可能な金属的なカチッという音が発生する。
【００１７】
上述した運動シーケンスは、基礎的な関係を明らかにするために、基本的に模範的な特徴を有するものである。特にプロスポーツの分野においても上述した運動シーケンスからずれることは一般的であり、かつ与えられていることは明白であるが、そのことは本発明に基づくそれ自体遠心力制御される訓練装置として使用するために、無視することができる。
【００１８】
図２は、ゴルフクラブ１８（一部のみ図示されている）に固定されている装置１０の全体を示している。装置は、使用者の上腕に固定される端部１２から始って、まず固定装置２８として装着締付けバンド３０を有しており、その一方の端部にはプラスチック材料からなる長方形状のアイ３０が固定されている。装着締付けバンド３０の自由端部３４が、上腕に巻き付けられた後にこのアイに挿通されて、折り返されるので、装着締付けバンド３０の外周３６に取り付けられている装着締付け手段３８が互いに重なるように添接して、自由端部３４が固定される。
【００１９】
さらに、装着締付けバンド３０の外周３６にはループを形成する織物バンド４０の端部が固定され、他の織物バンド４２には金属アイ４４が固定されている。この金属アイは、織物バンド４０の長さ調節に用いられ、この織物バンドはアイ４４の舌片形状の横補強材４６を通過するように挿通され、それがバンド３０の滑りを防止する。このことが、使用者の身体条件への装置の適合を可能にする。
【００２０】
織物バンド４０は、さらに、その織物バンドのところで開かれているＵ字状の金属収容部４８に挿通され、その金属収容部には板ばねロック５２を有するカラビナフック５０が回転可能に軸承されている。カラビナフック５０は、ここでは金属継ぎ目板５４に挿通され、その金属継ぎ目板の両方の開放端部５６は、金属の中空円錐台５８の外周面の対向する点に固定されている。この中空円錐台は、チェック装置２０の部分片２２の基体６２の終端片６０上へかぶせられた後に、中空円錐台５８の対称軸に対して垂直に対向して開口部６６を通して打ち出された２本の金属割りピン６４によって固定することができる。基体６２の側では、この割りピン６４は、特に図４と５に示すような、周面溝６８内で滑り移動し、周面突出部７０が基体６２からの中空円錐台５８の引抜きを阻止する。
【００２１】
その基体６２と７２が図３と４に示されている、２つの部分片２２と２４は、全体を符号７３で示す発動手段の一部としての、一種の弾性的なひも７４の形式の結合装置２６によって、互いに結合されており、そのひも７４は長手軸に沿って配置された、部分片２２、２４の円筒状の凹部７６を通して案内されて、固定手段７８によって固定される。
【００２２】
金属リング８０が、それぞれ、ラミネートされたプラスチックからなる基体６２、７２の断面の等しい片に設けられており、その基体の断面はその外側端部の方向へ向かって細くなっている。基体６２、７２は、断面が細くなる領域にさらに、周面にわたって均一な間隔で配置された凹部８２を有しており、その凹部の底８４はそれぞれ部分片長手軸８６に対して等しい間隔を有しているので、リブ構造が形成され、そのリブ構造が中実の終端片６０に連通している。リブ構造によって、円錐状の部分片２２、２４について取扱いを容易にする重量削減がもたらされる。
【００２３】
部分片２２について、対応づけられた金属リング８０はその基体６２に向いた側に、図３から明らかなように、細くなった断面を有する終端片８８を有している。この細くなった断面の外周面９０に形成された外ねじ９２は、基体６２の円筒状の凹部９４内に形成されている内ねじ９６と螺合するために用いられる。凹部の底９８内に弾性的に付勢されて挿入されている押圧片１００の半球ヘッド１０２は、基体６２が対応づけられている金属リング８０と螺合された場合に、金属リング８０の細くなった断面の、凹部の底９８側に設けられている円錐状の凹部１０４内へ嵌入する。これら凹部は、部分片長手軸８６に対して直径方向にそれぞれ等角度で配置されている。
【００２４】
部分片２４に対応づけられて、基体７２に固定されている金属リング８０内に、発動手段７３の他の主要な部分としての、同一の円筒軸を有する環状磁石１０６が挿入されており、その環状磁石は部分片２２に対応づけられた他の金属リング８０に吸引力を及ぼす。部分片２４において、基体７２から他方の部分片２２の方向に部分片長手軸８６に沿って突出する、円錐状の終端片１１０を有する円筒状のプラスチック片１０８が、金属リング８０と磁石１０６によって周面側を部分的に包囲されており、終端片１１０は凹部１１２と共にガイド装置１１３を形成する。
【００２５】
プラスチック片１０８の、部分片長手軸８６に沿って磁石１０６を有する金属リング８０を越えて突出する部分は、部分片２２と２４が合体された場合に、部分片長手軸８６に沿って延びる、部分片２２に対応づけられた他の金属リング８０の円筒状の凹部１１２に挿通され、他の金属リングは発動手段７３の一部として第１の金属リング８０と共に環状磁石１０６と協働する。円錐状の終端片１１０の、部分片２２側の環状面１１４は、このように挿通された場合に、金属リング８０の外ねじ９２が基体６２の内ねじ９６と噛合して、金属リング８０ないし基体６２の互いに向き合った環状面１１６、１１８が互いに平面的に当接する前に、基体６２内の円筒状の凹部９４の凹部底９８に接触する。
【００２６】
螺合プロセスが進んで、両方のねじ９２、９６が基体６２の回動によって対応づけられている金属リング８０に対して移動された場合に、第２の基体７２が第１の基体６２に支持されて、２つの部分片２２、２４は互いに距離をおいて配置される。
凹部の底９８からそれぞれ対応づけられている円錐状の凹部１０４内へ突出する押圧片１００によりと共に、このようにして、一種のラチェット方式によって、２つの部分片２２、２４をまとめて保持する磁力の予め設定可能な調節が可能である。　ラチェット方式によって、一度調節された磁力は、装置１０が駆動される間不用意に変化せず、装置１０の機能を損なうことがないようにされる。上述した磁力調節装置１２０を介して、装置１０は、特にそれぞれ存在している身体の大きさと体力に関して、特別な使用者状況に適合される。
【００２７】
部分片２４の、クラブ１８側の端部１４は、部分片２２と同様に、周面溝６８内の金属割りピン６４によって終端片６０に接して案内される中空円錐台５８とそれに固定された金属継ぎ目板５４を有している。金属継ぎ目板は、スチールリング１２２によって貫通され、そのスチールリングはさらに、図６から明らかなように、固定クリップ１３２の２つのクリップ薄板１２８、１３０に形成された円形の開口部１２４、１２６を貫通している。
【００２８】
この固定クリップ１３２は、装置１０をクラブ１８に固定するために用いられる。そのために、２つのクリップ薄板１２８、１３０の、内側底面１３４が互いに重なり合って、第１のクリップ薄板１２８の内側底面１３４から垂直に突出する円筒状の螺合片１３６のねじが、第２のクリップ薄板１３０の他の切欠き１３８へ挿通されるので、２つのクリップ薄板１２８、１３０は円形の開口部１２４、１２６が互いに重なるようにして薄ナット１４０によって互いに取外し可能に固定される。クリップ薄板１３０の側面１４２が、クリップ薄板１２８の側面を越えて突出する突出部１４４に添接することにより、さらに、２つのクリップ薄板１２８、１３０が互いに離れるように滑り移動することが防止される。
【００２９】
クリップ薄板１２８、１３０の、クラブ１８に向いた側において、これらクリップ薄板には、クリップ薄板１２８、１３０が互いに添接した場合に、クラブ１８の一部を収容するための方形の底面を有する中空室が形成されるように、４５°の角度で突出する二等辺の、従ってそれぞれ９０°の角度を形成するアングル片１４６が設けられている。アングル片１４６は、さらに、クラブ１８における損傷または固着を防止するために、その内面１４８全体を覆うゴムクッション１５０を有している。
【００３０】
はっきりとさせるために、図１ａから１ｄに示す運動シーケンスの種々の相の間の、図２と３に示す装置１０の作用方法を詳しく説明する。ここでは、請求項に基づく装置１０は、クラブ１８と右利きの使用者の上腕１６に、ラチェット解決によりその身体的条件に適合させて、固定されている。ラチェット解決においては、部分片２２、２４は、調節装置１２０によって予め設定可能なステップで互いに隔てられる。部分片２２の基体６２を、それに対応づけられた金属リング８０に対して回動させることにより、金属リング８０間の距離変化がもたらされる。それに結びついた、部分片２２、２４間に作用する力の変化が使用者に、個別的な条件への適合を許す。
【００３１】
図１ａにおいては、この使用者は運動シーケンスの開始相にあって、クラブ１８を後ろに引く動作の後に、左肩領域を中心とする腕の第１の種類の梃子運動を行い、その梃子運動の推移においてはチェック装置２０は駆動されない。
【００３２】
図１ｂにおいて、その手がほぼ半分の高さにある使用者は、その運動シーケンスにおいて振出し相に達し、その振出し相においては第１の種類の梃子運動に第２の種類の梃子運動が重畳され、その推移においてクラブ１８は使用者の手の関節を中心に移動される。遠心力運動が、その時使用者の上腕とクラブ１８との間でぴんと張られたチェック装置２０を駆動する。たとえば図１ａに示す位置が図１ｂに示す位置へ移行する場合のように、チェック装置２０に作用する力の大きさが、部分片２２、２４の外れを阻止している磁力を上回った場合、部分片２２、２４ははっきりと聞き取れるように互いに分離される。図１ｃは、今なお運動シーケンスの振出し相にある使用者を、クラブ１８に固定されたチェック装置２０の、今や分離された部分片と共に示している。さらに図１ｂと１ｃから明らかなように、部分片２２、２４の分離は使用者の視野内で行われ、そのコントロール練習はこの種の視覚的な信号によりさらに改良される。
【００３３】
ボールに命中した後に、運動シーケンスの最終相において、クラブ１８はまず使用者の身体の前を振り抜かれて、その後、図１ｄから明らかなように、左側で身体の後方へ案内される。その際に生じる、遠心力の減少によって、全運動シーケンスの間互いに対する位置に関係なく、弾性的な線形の結合部材、特に弾性的なひも７４の形状の、結合装置２６を介して互いに結合されている部分片２２、２４が、再び互いに接近する。ガイド装置１１３は、プラスチック片１０８の円錐状の終端片１１０が凹部１１２内へ嵌入することによって、２つの部分片２２、２４が再び合体されて、共通の長手軸に沿ったその初期位置に位置せしめられることを誘起する。従って、部分片２２、２４が可視的、かつ、可聴的に、合体された後に、装置１０を即座に、運動シーケンスの再度の実施にに提供することができる。
【００３４】
上述した運動シーケンスは、本発明を詳しく説明するための一つのモデルにすぎない。個々の条件によって、本発明の装置の機能性を損なうことなしに、このモデルからずれることもある。
【図面の簡単な説明】
【図１】
図１ａ、ｂ、ｃおよびｄは、ゴルフクラブの形状のボール打撃器具を有する練習者の様々な運動相における位置を、瞬間記録に分解して示している。
【図２】
ゴルフクラブに固定された、チェック装置を備えた装置を示している。
【図３】
図２に示すチェック装置の各部分を分解して示す斜視図である。
【図４】
図３に示す表示に基づく２つの部分片を、それぞれ中央縦断面で示している。
【図５】
図４に、「Ｘ」で示された部分を拡大して示している。
【図６】
図２の画像部分において「Ｙ」で示されるような、固定クリップを拡大した形状で分解して示す斜視図である。
【国際公開パンフレット】
2004501691.tif 000003
2004501691.tif 000004
2004501691.tif 000005
2004501691.tif 000006
2004501691.tif 000007
2004501691.tif 000008
2004501691.tif 000009
2004501691.tif 000010
2004501691.tif 000011
2004501691.tif 000012
2004501691.tif 000013
2004501691.tif 000014
2004501691.tif 000015
2004501691.tif 000016
2004501691.tif 000017
2004501691.tif 000018
2004501691.tif 000019
2004501691.tif 000020
2004501691.tif 000021
2004501691.tif 000022
2004501691.tif 000023
2004501691.tif 000024
2004501691.tif 000025
【手続補正書】
【提出日】平成14年7月31日(2002.7.31)
【手続補正１】
【補正対象書類名】明細書
【補正対象項目名】特許請求の範囲
【補正方法】変更
【補正の内容】
【特許請求の範囲】
【請求項１】
ボール打撃器具（１８）、特にゴルフクラブまたは野球バットのための、運動シーケンスを訓練する装置（１０）であって、
器具（１８）と使用者との間で作用するチェック装置（２０）によって、器具（１８）による正しい運動シーケンスの実行のチェックが可能であり、使用者の上腕（１６）およびボール打撃器具（１８）に固定可能であるものにおいて、
チェック装置は少なくとも２つの互いに取外し可能な部分片（２２、２４）を有しており、前記部分片は発動手段（７３）によって、運動シーケンスの少なくとも最初と最後に、部分片（２２、２４）の分離が阻止され、あるいは、それらの結合が促進して行われるように、互いに相互作用することを特徴とする、運動シーケンスを訓練する装置。
【請求項２】
チェック装置（２０）は、ボール打撃器具（１８）による運動シーケンスをチェックする場合に、少なくとも１つの音響的および／または視覚的な信号を使用者に伝達し、運動シーケンスは少なくとも初期相、振出し相および終端相に分割可能であることを特徴とする請求項１に記載の装置（１０）。
【請求項３】
チェック装置（２０）は、運動シーケンスの振出し相の開始と最後を音響的な信号によって表示し、かつ運動シーケンスの間視覚的な信号によるコントロールを可能にすることを特徴とする請求項１または２に記載の装置（１０）。
【請求項４】
発動手段（７３）によってもたらされる力は、部分片（２２、２４）を永久的に互いに接するように保持しようとし、かつ
力の大きさは、調節装置（１２０）を介して予め定めることが可能であることを特徴とする請求項１から３のいずれか１項に記載の装置（１０）。
【請求項５】
発動手段（７３）は、各部分片（２２、２４）に対応づけられて、少なくとも１つの部分片（２４）内で磁石（１０６）を使用することを特徴とする請求項１から４のいずれか１項に記載の装置（１０）。
【請求項６】
磁力を調節するために、調節装置（１２０）によって部分片（２２、２４）間の距離が可変であることを特徴とする請求項５に記載の装置（１０）。
【請求項７】
部分片（２２、２４）は、互いに対する各位置において、結合装置（２６）を介して互いに結合されており、前記結合装置は発動手段（７３）の一部として、復元力を部分片（２２、２４）へ作用させることを特徴とする請求項１から６のいずれか１項に記載の装置（１０）。
【請求項８】
ガイド装置（１３）によって、部分片（２２、２４）は、占めることのできる相対位置の少なくとも一部において、互いに定められたように案内されていることを特徴とする請求項７に記載の装置（１０）。
【手続補正２】
【補正対象書類名】明細書
【補正対象項目名】０００１
【補正方法】変更
【補正の内容】
【０００１】
本発明は、特許請求項１の上位概念の特徴形態に基づく、ボール打撃器具、特にゴルフクラブまたは野球バットのための、運動シーケンスを訓練する装置に関する。


【手続補正３】
【補正対象書類名】明細書
【補正対象項目名】０００３
【補正方法】変更
【補正の内容】
【０００３】
従って従来は、プレーヤーにとってはその運動シーケンスを点検するためには、彼を観察して修正する他の人物に意見を求めること、あるいは面倒なビデオ技術を操作して、彼にその運動の実施を後から観察することを可能ならしめることが必要であった。この種の手段は、それがトレーナーレッスンであろうと、ビデオカメラの使用であろうと、プレーヤーにとっては、そもそもそれぞれ所望の時点で提供される場合でも、コストがかかりすぎ、必ずしも提供されるものでもない。さらに、それぞれのプレーヤーは記録された画像材料を後から考察した場合に、その運動シーケンスにおけるエラーを直接補正する機会を持たず、まず自分のエラーに関するフィードバック（Ｂｉｏ−Ｆｅｅｄｂａｃｋ）が得られない、という欠点がある。
ＵＳ−Ａ−５１５０９０１によって、胸部器具を介して使用者の上体に固定可能な、ゴルフトレーニング器具が知られている。器具自体は、互いの中に長手方向に移動可能に保持されている、２つのテレスコープ状に入り組んだジャケット部分を有しており、一方のテレスコープ部分は胸部器具に作用し、他方のテレスコープ部分はゴルフクラブのグリップに作用する。上述した、互いの中で長手方向に移動可能なテレスコープ部分の固定配置に基づき、かつ上述した胸部器具を介してトレーニング器具が固定であることに基づいて、ゴルフを行う使用者はそのプレイにおいてトレーニングの間も非常にきゅうくつであるので、それに向けた解決は実際の使用場合のためには余り実際的でないことが明らかにされている。
ＵＳ−Ａ−３８６１６８８およびＵＳ−Ａ−５１０８１０３によって、音響的なフィードバックを有するゴルフトレーニング器具が知られており、トレーニング器具は特にゴルフプレーヤー手の関節とゴルフクラブ自体のグリップの近傍に取り付けられる。手の関節とゴルフクラブとの間の弾性的に復帰可能な結合部分が、運動シーケンスの間の遠心力状況をチェックして、推移が理想的でない場合には、ゴルフプレーヤーは音響的な信号を介して該当するエラー報告または補正報告を得る。それを目指す装置によっては、大体において打撃実行の間の手の位置の正しいチェックしか保証されないので、他の身体部分の、特にゴルフ打撃の間の腕の姿勢に関しての、エラー位置は依然として考慮されていない。従ってこの既知の装置によっては、ゴルフの振りの間の全運動シーケンスが的確に訓練され、それによって全運動シーケンスが支配できることは、保証されない。
ＧＢ−Ａ−９８８７９６とＧＢ−Ａ−２２３６７８７によっては、ゴルフ手袋ないしクラブのグリップとプレーヤーの上腕との間に、バンドとループを介して結合を形成することが知られており、そのバンドとループは振りの間の遠心力を然るべく捕捉して、それによって使用者に正しい運動シーケンスに関するフィードバックを与えようとしている。ＧＢ−Ａ−２２３６７８７に基づくゴルフトレーニング器具においては、片手トレーニング動作のみが可能であって、他方の手は使用者によって上体にしずかにあてがわれている。ＧＢ−Ａ−９８８７９６に基づく、肩に作用するトレーニング器具においては、復帰可能な発動手段を介して他のバンドが使用者の他の腕の対向する腋の下へ挿入されるので、打撃運動の間肩バンドが不用意にずれることはない。さらに、この既知のトレーニング装置によって、ゴルフバッグなどを使用者の肩で支えて運ぶ可能性があり、このことは特に比較的長いゴルフコース上で疲れる訓練を容易にする。この既知の器具によるトレーニング効果は、同様に、どちらかと言うと少なく、運動シーケンスのために一方の手ないし腕しか正しく訓練されない限りにおいて、これは経験的に、使用者の両手打による運動シーケンスには当てはまらないことが、明らかにされている。
ＵＳ−Ａ−３３３９９２６によって、手の関節と使用者の上腕との間に作用する、ゴルフトレーニング器具が知られている。そのための固定方法として用いられるのは締付けバンドであって、その締付けバンドの間に２つのテレスコープ状のジャケット部分が延びており、それらジャケット部分は長手方向に移動可能に互いに向き合った端部において互いに入り組んでいる。手の関節の側のテレスコープ部分は、スロットガイドを有しており、他のテレスコープ部分はその外周面に移動可能なチェーンを備えた固定補助を有しており、それによって打撃の間の腕の曲げ運動をチェックして、曲がりすぎることのないようにしている。というのは、曲り過ぎをもたらす不用意な運動は一方のテレスコープ部分のチェーンによって捕捉されて、そのテレスコープ部分が他方のテレスコープ部分のスロット部分内へ嵌り込んで阻止するからである。ここでも、部分的に所定の運動パターン、すなわち運動シーケンスの間の腕の姿勢が曲り過ぎることしかチェックできないので、ゴルフスィングの間の全運動シーケンスを、適切にチェックしてトレーニングすることはできない。


【手続補正４】
【補正対象書類名】明細書
【補正対象項目名】０００５
【補正方法】変更
【補正の内容】
【０００５】
特許請求項１の特徴部分の特徴に従って、チェック装置は少なくとも２つの互いに取り外し可能な部分片を有しており、それら部分片は発動手段によって、運動シーケンスの少なくとも最初と最後において部分片の分離が阻止されており、ないしはそれらの結合が促進して行われるように、互いに相互作用することにより、発動手段はボール打撃器具によるスィング動作の間遠心力に拮抗作用し、部分片の分離も後の結合も使用者に音響的な信号を与え、それによって使用者に運動シーケンスの少なくとも最初と最後を確実に表示することができる。少なくとも、ボール打撃器具がボールを打つ、振出し相を準備する場合に、運動シーケンスが正しく実行されていれば遠心力は、前記阻止を通過した後に部分片の可視的、かつ、可聴的な、分離が行われる大きさであって、それによって使用者にバイオフィードバックとして、所望の運動の正しい実施のためのコントロール可能性が与えられる。特に本来の打撃開始相と後の打撃相との間の判然としない移行領域においてチェック装置が作用し、所望の正しい運動シーケンスのために必要なフィードバックを与える。




【国際調査報告】
2004501691.tif 000026
2004501691.tif 000027
2004501691.tif 000028
2004501691.tif 000029
2004501691.tif 000030
2004501691.tif 000031